(57)【特許請求の範囲】
【請求項１】
熱源の起動順位を定めた第１の運転順序パターンと第２の運転順序パターンとを備え、予め定められた切替時刻を境として使用する運転順序パターンを前記第１の運転順序パターンから前記第２の運転順序パターンに切り替える熱源制御装置において、
前記切替時刻において運転中の熱源の運転を保持する運転保持手段と、
前記運転保持手段によって運転が保持された熱源の能力では負荷を賄うことができなくなった場合、前記第２の運転順序パターンにおける起動順位の高い停止中の熱源から起動する熱源起動手段と、
前記運転保持手段によって運転が保持された熱源および前記熱源起動手段によって起動された熱源の組合せを監視し、この組み合わせが前記第２の運転順序パターンに従う負荷に応じた組合せとなった時点で、使用する運転順序パターンを前記第２の運転順序パターンに切り替えるパターン切替手段と
を備えることを特徴とする熱源制御装置。
【請求項２】
請求項１に記載された熱源制御装置において、
予め定められた強制切替時刻に達しても、前記パターン切替手段での運転順序パターンの切り替えが行われない場合、使用する運転順序パターンを強制的に前記第２の運転順序パターンへ切り替えるパターン強制切替手段
を備えることを特徴とする熱源制御装置。
【請求項３】
熱源の起動順序を定めた第１の運転順序パターンと第２の運転順序パターンとを備え、予め定められた切替時刻を境として使用する運転順序パターンを前記第１の運転順序パターンから前記第２の運転順序パターンに切り替える熱源制御方法において、
前記切替時刻において運転中の熱源の運転を保持する第１ステップと、
前記第１ステップによって運転が保持された熱源の能力では負荷を賄うことができなくなった場合、前記第２の運転順序パターンにおける起動順位の高い停止中の熱源から起動する第２ステップと、
前記第１ステップによって運転が保持された熱源および前記第２ステップによって起動された熱源の組合せを監視し、この組み合わせが前記第２の運転順序パターンに従う負荷に応じた組合せとなった時点で、使用する運転順序パターンを前記第２の運転順序パターンに切り替える第３ステップと
を備えることを特徴とする熱源制御方法。
【請求項４】
請求項３に記載された熱源制御方法において、
予め定められた強制切替時刻に達しても、前記３ステップでの運転順序パターンの切り替えが行われない場合、使用する運転順序パターンを強制的に前記第２の運転順序パターンへ切り替える第４ステップ
を備えることを特徴とする熱源制御方法。
【発明の詳細な説明】
【技術分野】
【０００１】
この発明は、冷凍機や加熱機などの熱源の運転を制御する熱源制御装置および熱源制御方法に関するものである。
【背景技術】
【０００２】
従来より、テナントビルなどにおいては、複数の熱源とこれら熱源のそれぞれに補機として設けられたポンプとを主要構成要素とする熱源システムを設け、ポンプより圧送した熱媒体を熱源により冷却あるいは加熱し、往ヘッダにおいて混合し、往水管路を介して空調機やファンコイルユニットなどの外部機器に供給するようにしている。負荷機器において熱交換された熱媒体は、還水管路を介して還ヘッダに戻され、再びポンプによって圧送され、以上の経路を循環する。例えば、熱源を冷凍機とした場合、熱媒体は冷水とされ、上述した経路を循環する。熱源を加熱機とした場合、熱媒体は温水とされ、上述した経路を循環する（例えば、特許文献１参照）。
【０００３】
この熱源システムには熱源の運転を制御する熱源制御装置が設けられる。熱源制御装置は、還ヘッダに戻される熱媒体の流量（負荷流量）Ｆを計測し、この計測した負荷流量Ｆに応じて熱源の運転（起動／停止）を制御する。或いは、往ヘッダから送られる熱媒体の温度（往水温度）ＴＳ，還ヘッダに戻される熱媒体の温度（還水温度）ＴＲおよび還ヘッダに戻される熱媒体の流量（負荷流量）Ｆとから、Ｆ×（ＴＲ−ＴＳ）×比熱＝Ｑとして負荷熱量Ｑを求め、この求めた負荷熱量Ｑに応じて熱源の運転（起動／停止）を制御する。
【０００４】
例えば、予め定められている運転順序パターンに従い、負荷熱量Ｑが所定値Ｑ１に達するまでは指定順位１番の熱源を運転し、負荷熱量Ｑが所定値Ｑ１を超えれば、指定順位１番の熱源に加えて指定順位２番の熱源の運転を開始する。その後、負荷熱量Ｑが所定値Ｑ１’（Ｑ１’＜Ｑ１）以下となると、指定順位２番の熱源機の運転を停止する。なお、熱源の運転が開始されれば、その熱源の補機であるポンプの運転も開始される。熱源の運転が停止されれば、その熱源の補機であるポンプの運転も停止される。
【０００５】
通常、オフィスビルなどの建物においては、夜間と昼間では負荷が大きく異なるため、できるだけ消費電力が少なくなるように、また最適に熱源を運転するために、運転順序パターンを夜間用と昼間用とに区別して定義している。
【０００６】
例えば、「８：００〜２２：００」の時間帯を昼間とし、「２２：００〜８：００」の時間帯を夜間とし、昼間の時間帯では吸収式冷凍機を第１順位（起動順位１）、ターボ冷凍機を第２順位（起動順位２）とし、夜間の時間帯ではターボ冷凍機を第１順位（起動順位１）、吸収式冷凍機を第２順位（起動順位２）とする。
【０００７】
すなわち、昼用の運転順序パターン（昼パターン）と夜用の運転順序パターン（夜パターン）を用意し、現在時刻が８：００になれば使用する運転順序パターンを夜パターンから昼パターンに切り替え、現在時刻が２２：００になれば使用する運転順序パターンを昼パターンから夜パターンに切り替えるようにする。
【０００８】
【特許文献１】特開２０００−１８６７４号公報
【発明の開示】
【発明が解決しようとする課題】
【０００９】
しかしながら、従来の運転順序パターンの切り替え方法では、現在時刻が８：００になった場合、負荷に拘わらず、運転順序パターンを夜パターンから昼パターンに即座に切り替えるようにしているので、例えばターボ冷凍機が停止し、これに替えて吸収式冷凍機が起動されるものとなり、吸収式冷凍機が立ち上がるまでの間、送水温度が上昇し、室内環境を悪化させてしまう。また、送水温度の上昇により、冷凍機の増段が発生し、エネルギーの消費量が増大する、というような問題があった、
【００１０】
本発明は、このような課題を解決するためになされたもので、その目的とするところは、室内環境の悪化やエネルギーの消費量の増大を招くことなく、運転順序パターンの切り替えを行うことが可能な熱源制御装置および熱源制御方法を提供することにある。
【課題を解決するための手段】
【００１１】
このような目的を達成するために、第１発明（請求項１に係る発明）は、負荷に応じた熱源の運転順序を定めた第１の運転順序パターンと第２の運転順序パターンとを備え、予め定められた切替時刻を境として使用する運転順序パターンを第１の運転順序パターンから第２の運転順序パターンに切り替える熱源制御装置において、前記切替時刻において運転中の熱源の運転を保持する運転保持手段と、運転保持手段によって運転が保持された熱源の能力では負荷を賄うことができなくなった場合、第２の運転順序パターンにおける起動順位の高い停止中の熱源から起動する熱源起動手段と、運転保持手段によって運転が保持された熱源および熱源起動手段によって起動された熱源の組合せを監視し、この組み合わせが第２の運転順序パターンに従う負荷に応じた組合せとなった時点で、使用する運転順序パターンを第２の運転順序パターンに切り替えるパターン切替手段とを設けたものである。
【００１２】
例えば、本発明において、第１の運転順序パターンを夜パターン、第２の運転順序パターンを昼パターン、切替時刻を８：００とした場合、現在時刻が８：００となると、夜パターンに従って運転されていた熱源の運転が保持される。例えば、ターボ冷凍機が運転中であれば、そのターボ冷凍機の運転が保持される。そして、この保持されたターボ冷凍機の能力では負荷を賄うことができなくなると、昼パターンにおける起動順位の高い停止中の熱源から起動される。例えば、昼パターンにおける最も起動順位の高い停止中の熱源が吸収式冷凍機とされていれば、その吸収式冷凍機が起動される。この吸収式冷凍機の運転でも負荷を賄うことができなければ、昼パターンにおける停止中の次の起動順位の熱源が起動される。
【００１３】
パターン切替手段は、この運転が保持された熱源および起動された熱源の組合せを監視し、この組合せが昼パターンに従う負荷に応じた組合せとなった時点で、使用する運転順序パターンを昼パターンに切り替える。例えば、ターボ冷凍機１台と吸収式冷凍機２台の組合せとなった時点で、使用する運転順序パターンを昼パターンに切り替える。これにより、夜パターンで運転されていたターボ冷凍機を停止することなく、夜パターンから昼パターンへの切り替えが行われ、送水温度の上昇が抑えられる。
【００１４】
本発明では、第１の運転順序パターンから第２の運転順序パターンへの切替時刻に達した後、運転が保持された熱源および起動された熱源の組合せがいつまで経っても昼パターンに従う負荷に応じた組合せとならないことが想定される。このような場合を想定して、第２発明（請求項１に係る発明）では、予め定められた強制切替時刻に達しても、パターン切替手段での運転順序パターンの切り替えが行われない場合、使用する運転順序パターンを強制的に第２の運転順序パターンへ切り替えるパターン強制切替手段を設ける。これにより、例えば、強制切替時刻を１１：００とした場合、１１：００になっても運転順序パターンの切り替えが行われなければ、強制的に昼パターンに切り替えられる。
【００１５】
本発明は、熱源制御装置としてではなく、熱源制御方法としても実現することが可能である。請求項３に係る発明（第３発明）は、第１発明の熱源制御装置を熱源制御方法として実現したものであり、請求項４に係る発明（第４発明）は、第２発明の熱源制御装置を熱源制御方法として実現したものである。
【発明の効果】
【００１６】
本発明によれば、第１の運転順序パターンから第２の運転順序パターンへの切替時刻において運転中の熱源の運転を保持し、運転が保持された熱源の能力では負荷を賄うことができなくなった場合、第２の運転順序パターンにおける起動順位の高い停止中の熱源から起動するようにし、運転が保持された熱源および起動された熱源の組合せを監視し、この組み合わせが第２の運転順序パターンに従う負荷に応じた組合せとなった時点で、使用する運転順序パターンを第２の運転順序パターンに切り替えるようにしたので、第１の運転順序パターンで運転されていた熱源を停止することなく、第１の運転順序パターンから第２の運転順序パターンへの切替を行うことができるようになり、送水温度の上昇を抑え、室内環境の悪化を招かないようにすることが可能となる。また、送水温度の上昇によって熱源が増段されてしまうこともなく、エネルギーの消費量の増大を防ぐことが可能となる。
【発明を実施するための最良の形態】
【００１７】
以下、本発明を図面に基づいて詳細に説明する。図１はこの発明に係る熱源制御装置を用いた熱源システムの一実施の形態の要部を示す計装図である。
【００１８】
図１において、１−１，１−２はターボ冷凍機、２−１，２−２は吸収式冷凍機、Ｐ１，Ｐ２はターボ冷凍機１−１，１−２が生成する冷水の循環通路に補機として各個に設けられたポンプ、Ｐ３，Ｐ４は吸収式冷凍機２−１，２−２が生成する冷水の循環通路に補機として各個に設けられたポンプ、３はターボ冷凍機１−１，１−２および吸収式冷凍機２−１，２−２からの冷水を混合する往ヘッダ、４は往水管路、５は往ヘッダ３から往水管路４を介して送られてくる冷水の供給を受ける空調機やファンコイルなどの外部機器、６は外部機器５への冷水の流入量を調節する流量調節弁、７は還水管路である。
【００１９】
８は外部機器５において熱交換され還水管路７を介して送られてくる冷水が戻される還ヘッダ、９は往ヘッダ３と還ヘッダ８とを連通させるバイパス管路、１０は往ヘッダ３から外部機器５への冷水の温度を送水温度ＴＳとして計測する送水温度センサ、１１は還ヘッダ８に戻される冷水の温度を還水温度ＴＲとして計測する還水温度センサ、１２は還ヘッダ８に戻される冷水の流量（負荷流量）Ｆを計測する流量計、１３は本発明に係る熱源制御装置である。
【００２０】
この熱源システムにおいて、ポンプＰ１〜Ｐ４により圧送された送水は、ターボ冷凍機１−１，１−２および吸収式冷凍機２−１，２−２により冷水とされ、往ヘッダ３において混合され、往水管路４を介して外部機器５へ供給される。そして、外部機器５において熱交換され、還水管路７を介して還ヘッダ８に戻され、再びポンプＰ１〜Ｐ４によって圧送され、以上の経路を循環する。
【００２１】
熱源制御装置１３は、流量計１２からの負荷流量Ｆに応じて、ターボ冷凍機１−１，１−２および吸収式冷凍機２−１，２−２の運転（起動／停止）を制御する。或いは、送水温度センサ１０からの送水温度ＴＳと、還水温度センサ１１からの還水温度ＴＲとから、Ｆ×（ＴＲ−ＴＳ）×比熱＝Ｑとして負荷熱量Ｑを求め、この求めた負荷熱量Ｑに応じてターボ冷凍機１−１，１−２および吸収式冷凍機２−１，２−２の運転（起動／停止）を制御する。
【００２２】
なお、ターボ冷凍機１−１，１−２が起動／停止されれば、これに連動してポンプＰ１，Ｐ２も起動／停止される。また、吸収式冷凍機２−１，２−２が起動／停止されれば、これに連動してポンプＰ３，Ｐ４も起動／停止される。
【００２３】
本実施の形態において、ターボ冷凍機１（１−１，１−２）の定格能力は１００ＲＴ、吸収式冷凍機２（２−１，２−２）の定格能力は２００ＲＴとされている。ターボ冷凍機１は電気をエネルギー源とし、吸収式冷凍機２はガスをエネルギー源とする。
【００２４】
図２に熱源制御装置１３のハードウェア構成の概略を示す。同図において、１３ＡはＣＰＵ、１３ＢはＲＡＭ、１３Ｃは記憶装置、１３Ｄ，１３Ｅはインターフェイスである。ＣＰＵ１３Ａは、インターフェイス１３Ｄを介して与えられる送水温度ＴＳ、還水温度ＴＲ、負荷流量Ｆなどの入力情報を得て、ＲＡＭ１３Ｂにアクセスしながら、記憶装置１３Ｃに格納されているプログラムに従って動作する。
【００２５】
記憶装置１３Ｃには、本実施の形態特有のプログラムとして、ターボ冷凍機１−１，１−２および吸収式冷凍機２−１，２−２の昼夜の起動順位を切り替える運転順序パターン切替プログラムが格納されている。この運転順序パターン切替プログラムは、例えばＣＤ−ＲＯＭなどの記録媒体に記録された状態で提供され、この記録媒体から読み出されて記憶装置１３Ｃにインストールされている。
【００２６】
また、記憶装置１３Ｃには、上記の運転順序パターン切替プログラムに関連して、ターボ冷凍機１−１，１−２および吸収式冷凍機２−１，２−２の起動順位を定める表として、昼用の運転順序パターン（昼パターン）と夜用の運転順序パターン（夜パターン）が設定されている。また、夜パターンから昼パターンへの切替時刻が「８：００」、昼パターンから夜パターンへの切替時刻が「２２：００」として設定されている。また、夜パターンから昼パターンへの強制切替時刻が「１１：００」として設定されている。
【００２７】
図３に昼パターンと夜パターンの例を示す。この例において、昼パターンでは、定格能力が２００ＲＴの吸収式冷凍機２−１，２−２が起動順位１，２として設定され、定格能力が１００ＲＴのターボ冷凍機１−１，１−２が起動順位３，４として設定されている。夜パターンでは、定格能力が１００ＲＴのターボ冷凍機１−１，１−２が起動順位１，２として設定され、定格能力が２００ＲＴの吸収式冷凍機２−１，２−２が起動順位３，４として設定されている。なお、この昼パターンおよび夜パターンにおいて、同一種類の熱源は自動ローテンションするため、括弧内の起動順位となる場合もある。以下、この昼パターンと夜パターンが設定されているものとして、説明を続ける。
【００２８】
なお、この昼パターンと夜パターンに従って、ターボ冷凍機１−１，１−２および吸収式冷凍機２−１，２−２の運転を制御すれば、ターボ冷凍機をグループ１とし、吸収式冷凍機をグループ２とした場合、負荷によって昼間は図４に示すような運転台数（熱源の組合せ）となり、夜間は図５に示すような運転台数（熱源の組合せ）となる。
【００２９】
以下、図６に示すフローチャートを参照して、上述した運転順序パターン切替プログラムに従うＣＰＵ１３Ａの処理動作の一例について説明する。なお、この例では、夜パターンから昼パターンへの切替時刻に入る直前の状態として、ターボ冷凍機１−１のみが運転されているものとする。
【００３０】
この場合、ＣＰＵ１３Ａは、運転制御プログラムに従って、現在時刻が夜パターンから昼パターンへの切替時刻（８：００）となると（ステップＳ１０１のＹＥＳ、図７に示すｔ１点）、運転中の熱源の運転を保持する（ステップＳ１０２）。この場合、ターボ冷凍機１−１のみが運転されているので、ターボ冷凍機１−１の運転を保持する。
【００３１】
そして、負荷上昇による増段機があるか否かをチェックし（ステップＳ１０３）、なければ負荷減少による減段機があるか否かをチェックし（ステップＳ１０５）、増段機も減段機もなければ、ステップＳ１０９のＮＯに応じてステップＳ１０３へ戻り、負荷上昇による増段機および負荷減少による減段機のチェックを繰り返す。
【００３２】
ここで、負荷が上昇し、ターボ冷凍機１−１の定格能力である１００ＲＴ以上となると（図７に示すｔ２点）、負荷上昇による増段機があるものと判断し（ステップＳ１０３のＹＥＳ）、保持されている運転機はそのままで、切替後の運転順序パターンすなわち昼パターンのうち最も起動順位の高い停止中の熱源を起動する。この場合、吸収式冷凍機２−１を起動する。
【００３３】
これにより、熱源の運転状態は、ターボ冷凍機１−１と吸収式冷凍機２−１との２台運転となり、ターボ冷凍機１−１によって１００ＲＴの負荷が賄え、吸収式冷凍機２−１によって２００ＲＴの負荷が賄え、合計３００ＲＴの負荷を賄うことができるようになる。
【００３４】
ここで、ＣＰＵ１３Ａは、このターボ冷凍機１−１と吸収式冷凍機２−１との２台運転が昼パターン通りの運転か否かを確認する（ステップＳ１０７）。すなわち、ターボ冷凍機１−１と吸収式冷凍機２−１の組合せでは３００ＲＴの負荷を賄うことが可能であり、この組合せが昼パターンにおける３００ＲＴの場合の熱源の組合せと同じであるか否かをチェックする。
【００３５】
この場合、昼パターンにおける３００ＲＴの場合の熱源の組合せは、図４からも分かるように、吸収式冷凍機２台であるので、組合せが異なる。したがって、ステップＳ１０７では昼パターン通りの運転とは判断されず、ステップＳ１０９のＮＯに応じてステップＳ１０３へ戻り、負荷上昇による増段機および負荷減少による減段機のチェックを繰り返す。
【００３６】
このチェックの繰り返し中、負荷が減少し、２００ＲＴを下回った場合には、負荷減少による減段機があるものと判断し（ステップＳ１０５のＹＥＳ）、保持されている運転機はそのままで、昼パターンのうち最も起動順位の低い運転中の熱源を停止する。この場合、吸収式冷凍機２−１の運転を停止する。
【００３７】
このチェックの繰り返し中、負荷が上昇し、３００ＲＴ以上となると（図７に示すｔ３点）、負荷上昇による増段機があるものと判断し（ステップＳ１０３のＹＥＳ）、保持されている運転機はそのままで、昼パターンのうち最も起動順位の高い停止中の熱源を起動する。この場合、ターボ冷凍機１−１を起動する。
【００３８】
これにより、熱源の運転状態は、ターボ冷凍機１−１と吸収式冷凍機２−１，２−２との３台運転となり、ターボ冷凍機１−１によって１００ＲＴの負荷が賄え、吸収式冷凍機２−１，２−２によって４００ＲＴの負荷が賄え、合計５００ＲＴの負荷を賄うことができるようになる。
【００３９】
ここで、ＣＰＵ１３Ａは、このターボ冷凍機１−１と吸収式冷凍機２−１，２−２との３台運転が昼パターン通りの運転か否かを確認する（ステップＳ１０７）。すなわち、ターボ冷凍機１−１と吸収式冷凍機２−１，２−２の組合せでは５００ＲＴの負荷を賄うことが可能でり、この組合せが昼パターンにおける５００ＲＴの場合の熱源の組合せと同じであるか否かをチェックする。
【００４０】
この場合、昼パターンにおける５００ＲＴの場合の熱源の組合せは、図４からも分かるように、ターボ冷凍機１台と吸収式冷凍機２台であるので、同じ組合せとなる。したがって、ステップＳ１０７において、昼パターン通りの運転と判断される。この場合、ステップＳ１０８へ進み、使用する運転順序パターンを昼パターンに切り替える。以降、この切り替えられた昼パターンに従って、ターボ冷凍機１−１，１−２および吸収式冷凍機２−１，２−１の運転が制御される。
【００４１】
以上の説明から分かるように、本実施の形態によれば、夜パターンで運転されていたターボ冷凍機１−１の起動を停止することなく、夜パターンから昼パターンへの切り替えが行われるので、送水温度（冷水の温度）の上昇が抑えられ、室内環境の悪化を招くことがなくなる。また、送水温度の上昇によって熱源が増段されてしまうこともなく、エネルギーの消費量の増大が防がれる。
【００４２】
なお、ステップＳ１０７において、いつまで経っても昼パターン通りの運転が確認されない場合には、すなわち負荷が上昇せず３００ＲＴ未満の状態が継続する場合には、夜パターンから昼パターンへの強制切替時刻である「１１：００」になった時点で（ステップＳ１０９のＹＥＳ）、運転順序パターンを昼パターンに強制的に切り替える（ステップＳ１１０）。
【００４３】
なお、上述した実施の形態では、冷凍機としてターボ冷凍機と吸収式冷凍機を使用した場合について説明したが、使用する冷凍機はターボ冷凍機や吸収式冷凍機に限られるものでない。また、また、熱源として冷凍機を用いる例で説明したが、加熱機を用いる場合にも同様にして適用することができる。
【００４４】
参考として、図８に、上述した実施の形態における熱源制御装置１３の要部の機能ブロック図を示す。熱源制御装置１３は運転順序パターン切替手段１４を備えている。運転順序パターン切替手段１４は、記憶装置１３Ｃに設定されている夜パターンから昼パターンへの切替時刻において運転中の熱源を保持する運転保持手段１４Ａと、この運転保持手段１４Ａによって運転が保持された熱源の能力では負荷を賄うことができなくなった場合、昼パターンにおける起動順位の高い停止中の熱源から起動する熱源起動手段１４Ｂと、運転保持手段１４Ａによって運転が保持された熱源および熱源起動手段１４Ｂによって起動された熱源の組合せを監視し、この組み合わせが昼パターンに従う負荷に応じた組合せとなった時点で、使用する運転順序パターンを昼パターンに切り替えるパターン切替手段１４Ｃとを備えている。この運転順序パターン切替手段１４はＣＰＵ１３Ａの処理機能として実現される。
【図面の簡単な説明】
【００４５】
【図１】本発明に係る熱源制御装置を用いた熱源システムの一実施の形態の要部を示す計装図である。
【図２】この熱源システムにおける熱源制御装置のハードウェア構成の概略を示す図である。
【図３】この熱源システムにおいて用いられる運転順序パターン（昼パターン、夜パターン）を例示する図である。
【図４】昼パターンに従う負荷に応じた熱源の組合せを示す図である。
【図５】夜パターンに従う負荷に応じた熱源の組合せを示す図である。
【図６】熱源制御装置のＣＰＵが実行する運転順序パターン切替プログラムに従う処理動作を説明するためのフローチャートである。
【図７】運転制御プログラムに従う処理動作の一例を説明するためのタイムチャートである。
【図８】熱源制御装置の要部の機能を示す機能ブロック図である。
【符号の説明】
【００４６】
１（１−１，１−２）…ターボ冷凍機、２（２−１，２−２）…吸収式冷凍機、Ｐ１〜Ｐ４…ポンプ、３…往ヘッダ、４…往水管路、５…外部機器、６…流量調節弁、７…還水管路、８…還ヘッダ、９…バイパス管路、１０…送水温度センサ、１１…還水温度センサ、１２…流量計、１３…熱源制御装置、１３Ａ…ＣＰＵ、１３Ｂ…ＲＡＭ、１３Ｃ…記憶装置、１３Ｄ，１３Ｅ…インタフェース、１４…運転順序パターン切替手段、１４Ａ…運転保持手段、１４Ｂ…熱源起動手段、１４Ｃ…パターン切替手段。
【図１】
0004838776.tif 000002
【図２】
0004838776.tif 000003
【図３】
0004838776.tif 000004
【図４】
0004838776.tif 000005
【図５】
0004838776.tif 000006
【図６】
0004838776.tif 000007
【図７】
0004838776.tif 000008
【図８】
0004838776.tif 000009